(57)【要約】【課題】 メガネの一部、例えばレンズまたはフレームに対して自由に取り付けたり取り外したりすることができるメガネのバックミラーを提供することを目的とする。【解決手段】  メガネのレンズ１に着脱自在に取り付け可能であり、ミラー部１１とミラー部１１をレンズ１に固定する支持部材１３と、前記ミラー部１１と支持部材１３を連結する連結部材１２とからなるメガネのバックミラー。【選択図】  図１
2012133297.tif 000002
【特許請求の範囲】
【請求項１】
メガネの一部に着脱自在に取り付け可能なメガネのバックミラー。
【請求項２】
メガネのレンズに着脱自在に取り付け可能であり、ミラー部とミラー部をレンズに固定する支持部材とからなるメガネのバックミラー。
【請求項３】
メガネのレンズに着脱自在に取り付け可能であり、ミラー部とミラー部をレンズに固定する支持部材と、前記ミラー部と支持部材を連結する連結部材とからなるメガネのバックミラー。
【請求項４】
裏面に貼付剤を構成し、この貼付剤によってメガネのレンズに着脱自在に貼付可能としたミラー部からなるメガネのバックミラー。
【請求項５】
ミラー部と、ミラー部をメガネに固定する支持部材と、弾性部材からなり、前記支持部材は薄い板材によって構成され、ミラー部のミラー面と反対側に固定された取付体と、
前記ミラー部と平行に配置した支持体と、前記取付体と支持体を連結する中間体とからなり、
一方、先端に指掛け部を構成し、後端に固定部を構成した薄い板材からなる弾性部材を構成し、この弾性部材の中央部分を二つに折り曲げて、固定部を前記取付体に固定し、指掛け部を前記支持体の裏面に弾性力を有して当接させたことを特徴とするメガネのバックミラー。
【発明の詳細な説明】
【技術分野】
【０００１】
本発明は、メガネを掛けた際に前方を向いた状態で後方を見る事ができるメガネのバックミラーに関するものである。
【背景技術】
【０００２】
従来より、例えば特許文献１に記載の発明のように、メガネのレンズの左右端部付近に小さなバックミラーを設置する事によって、後方を見ることができるバックミラー付きメガネが提案されていた。
【先行技術文献】
【特許文献】
【０００３】
【特許文献１】特開２００１−２６４７０５号公報
【０００４】
前記特許文献１記載の発明は、ストーカーや痴漢から身を守るための防犯用品として発明されたものであり、メガネのレンズの左右端部付近に小さなバックミラーを直接蒸着や塗布によって形成し、またメガネのレンズに、フィルム状のミラーを貼り付けた構成よりなるものである。
【発明の概要】
【発明が解決しようとする課題】
【０００５】
上記発明によれば、小さなバックミラーをメガネのレンズの左右端部付近に直接蒸着や塗布によって形成したり、メガネのレンズにフィルム状のバックミラーを貼り付けたものであるため取り外すことはできず、バックミラーの不要な室内等ではバックミラーのあるメガネが不自然であった。その場合、必要に応じてバックミラーの付いていないメガネを掛けていた。また、またバックミラーの交換ができないため、バックミラーが傷んだりした場合には不便であった。
【０００６】
本発明は上記問題点を解決するもので、メガネの一部、例えばレンズまたはフレームに対して自由に取り付けたり取り外したりすることができるメガネのバックミラーを提供することを目的とする。
【課題を解決するための手段】
【０００７】
本発明の要旨とするところは、メガネの一部に着脱自在に取り付けることができるメガネのバックミラーである。
【０００８】
また、本発明の要旨とするところは、メガネのレンズに着脱自在に取り付け可能であり、ミラー部とミラー部をレンズに固定する支持部材とからなるメガネのバックミラーである。
【０００９】
また、本発明の要旨とするところは、メガネのレンズに着脱自在に取り付け可能であり、ミラー部とミラー部をレンズに固定する支持部材と、前記ミラー部と支持部材を連結する連結部材とからなるメガネのバックミラーである。
【００１０】
また、本発明の要旨とするところは、裏面に貼付剤を構成し、この貼付剤によってメガネのレンズに着脱自在に貼付可能としたミラー部からなるメガネのバックミラーである。
【００１１】
また、本発明の要旨とするところは、ミラー部と、ミラー部をメガネに固定する支持部材と、弾性部材からなり、前記支持部材は薄い板材によって構成され、ミラー部のミラー面と反対側に固定された取付体と、前記ミラー部と平行に配置した支持体と、前記取付体と支持体を連結する中間体とからなり、一方、先端に指掛け部を構成し、後端に固定部を構成した薄い板材からなる弾性部材を構成し、この弾性部材の中央部分を二つに折り曲げて、固定部を前記取付体に固定し、指掛け部を前記支持体の裏面に弾性力を有して当接させたことを特徴とするメガネのバックミラーである。
【発明の効果】
【００１２】
請求項１記載の発明は、メガネのバックミラーがレンズに対して着脱自在であるから、時と場合に応じてバックミラーを取り付けたり取り外したりしてメガネを使用することができる。
【００１３】
請求項２記載の発明は、ミラー部を支持部材によってレンズに固定したから、簡易かつ確実にメガネのバックミラーをレンズに着脱自在に取り付けることができる。
【００１４】
請求項３記載の発明は、ミラー部と支持部材を連結部材によって連結したから、厚いレンズに対しても簡易かつ確実にメガネのバックミラーを着脱自在に取り付けることができる。
【００１５】
請求項４記載の発明は、メガネのバックミラーの構成が簡単であり、簡易にレンズに装着使用することができる。
【００１６】
請求項５記載の発明は、メガネのバックミラーの構成を、支持部材の内部に取り付けた弾性部材の弾力によって簡易かつ確実にレンズに装着使用することができる。
【図面の簡単な説明】
【００１７】
【図１】実施形態１のメガネのバックミラーの使用状態を示すメガネの斜視図及びその一部拡大図
【図２】図１の一部拡大説明図
【図３】実施形態１のメガネのバックミラーの斜視図
【図４】実施形態２のメガネのバックミラーの一部切欠斜視図（Ａ）と同平面図（Ｂ）
【図５】実施形態２のメガネのバックミラーの使用状態を示す説明図
【図６】実施形態３のメガネのバックミラーの斜視図
【図７】実施形態３のメガネのバックミラーの正面図
【図８】実施形態３のメガネのバックミラーの支持体を切欠いた正面図
【図９】実施形態３のメガネのバックミラーの平面図
【図１０】実施形態３のメガネのバックミラーの使用状態を示す平面説明図
【図１１】実施形態３のメガネのバックミラーの使用状態を示す説明図
【図１２】実施形態４のメガネのバックミラーの使用状態を示す平面説明図
【図１３】実施形態５のメガネのバックミラーの平面図
【図１４】実施形態５のメガネのバックミラーの正面図
【発明を実施するための形態】
【００１８】
図１乃至図３は、本発明の実施形態１を表わすものである。
本実施形態は、メガネのバックミラー１０をメガネのレンズ１の端部又はレンズのフレームに着脱自在に取り付けるものである。
【００１９】
このバックミラー１０は、ミラー部１１と、ミラー部１１をメガネに固定する支持部材１３と、ミラー部１１と支持部材１３を連結する連結部材１２からなる。
【００２０】
前記ミラー部１１は、表面にミラー面１１ａを構成してあり、前方の視界の妨げにならない大きさであり、本実施形態では、約１ｃｍ程度の大きさの方形である。材質はガラス又は金属又は合成樹脂などである。
このミラー部１１は、図１、図２に示すように、レンズ１より外側に突出していないか、あるいはその突出が最低限に抑えられている。これは、ミラー部１１がレンズ１より外側に突出すると、外部の障害物と衝突する恐れがあるから、その危険を避けるためである。
しかしミラー部１１の大きさはこれに限定されず、上述した危険等の使用時の障害がなかったり、あるいはデザイン上の見地から、レンズやフレームから外側に突出した形状も採用できる。
【００２１】
前記支持部材１３は、ミラー部１１と同等の大きさでミラー部１１と平行に配置される支持体１５と、この支持体１５の端部に、支持体１５と直交してレンズ１と略同一の幅を有する中間体１４とで構成する。
支持体１５の表面には、星、果実などの各種模様やファンシーなキャラクター１６が印刷されていて、ファッション的な要素も有している。この模様やキャラクター１６は、印刷によらずシールを貼りつけて表しても良い。
なお、前記中間体１４は、レンズ１の厚さなどによっては必ずしも必要としない。例えばミラー部１１と支持体１５でレンズ１の両面を押圧して挟んで固定する、いわゆるクリップ式にすることもできる。
【００２２】
前記連結部材１２は、ミラー部１１の端部と中間体１４の端部を連結するもので、ミラー部１１を中間体１４に対して回動自在に連結している。
そして、連結部材１２の内部にはバネが内蔵されていて、ミラー部１１は常にレンズ１の表面側（図２の矢印Ａ方向）に付勢されている。
【００２３】
前記のミラー部１１、連結部材１２、中間体１４、支持体１５の形状、大きさ、材質あるいは、これらのレンズ１への取り付け位置などは本実施形態に限らず任意に決定できる。
例えば、支持体１５をゴムのような弾性体で構成し、中間体１４の幅をレンズ１の幅より狭くしておけば、連結部材１２がなくても支持体１５の弾性力と表面の摩擦力で、ミラー部１１は安定してレンズ１に取り付けることができる。
また、ミラー部１１と支持体１５の形状をレンズ１の角の湾曲部の形状に合わせて丸みを持たせることもできる。さらにミラー面１１aを平面のみならず、凹面、凸面とすることもできる。
【００２４】
バックミラー１０をメガネに取り付ける際に、レンズ１にキズがつくのを防ぐために、前記ミラー部１１、中間体１４、支持体１５のレンズに接触する部分に予めクッション材をコーテイングするなどして、保護手段を形成することができる。
さらに、前記説明では、バックミラー１０をレンズ１に直接取り付ける場合を説明したが、レンズ１にフレーム（図示せず）がある場合は、そのフレームとレンズに取り付けることになる。
また、バックミラー１０は、レンズの一方あるいは両方に取り付けることができる。
【００２５】
次に実施形態１の作用を説明する。
レンズ１の端部に外側から、ミラー部１１がレンズ１の裏面（顔側）に来るようにバックミラー１０を取り付ける。このとき、はじめにレンズ１の表面に支持体１５を当てて、その後ミラー部１１をレンズ１の裏面に当てれば、バックミラー１０はレンズの端部に装着される（図２参照）。
また、このときミラー部１１は、連結部材１２のバネによってレンズ１の裏面を押すように付勢されているから、ミラー部１１と支持体１５でレンズ１の裏面と表面を押圧して挟むことになるため、バックミラー１０はレンズ１に確実に取り付けることができるのである。
【００２６】
この状態でメガネを掛ければ、ミラー部１１が顔側にあるため、必要に応じてミラー部１１のミラー面１１ａを見ることで、そこに写っている後方の風景や情景を見ることができる。
この場合、ミラー面１１ａが目に近い位置にあるため小型のミラー部１１で後方の広い視野を捉えることができる。この場合必要に応じて顔を曲げることで視野の範囲を変更することができる。
【００２７】
前記実施形態１によれば次の効果がある。
１．振り向かなくてもミラー部によって後方の情景が分かるため、後方から来る自転車との衝突や引ったくり等の被害を未然に防ぐことができ、歩行中も安心感がある。また、後ろの人から、メガネにバックミラーをつけていることが分からないというメリットもある。
２．自転車に乗っている場合でも、後方の自転車などとの事故を未然に防げる。
３．室内など、ミラー部が不要の場所では、バックミラーを簡単に取り外せて、通常のメガネとして使用できる。
４．バックミラーはレンズに対して着脱自在であるため、時と場所に応じて、バックミラーを装着したり外したりして、あるいは右と左のレンズに適宜交換することが簡単にでき、ファッションの一環として使用することもできる。
【００２８】
本発明の実施形態２を説明する。
本実施形態のメガネのバックミラー２０は、図４に示すようにシール状である。このミラー２１部は、薄いガラス板又は金属板、あるいはフィルムなどの薄片に蒸着又は塗布などの方法で表面にミラー面２１ａが構成されている。
ミラー部２１の裏面２１ｂには、模様やキャラクター１６を印刷すると共に、レンズ１に対して複数回にわたり貼り付けたり剥がしたりすることのできる公知の貼着剤（図示せず）が塗布されていて、その上に保護紙３１が貼付されている。ミラー部２１の大きさは、約１ｃｍ大きさの方形である。このミラー部２１の形状、大きさは任意に決定できる。
【００２９】
本実施形態の使用法は、保護紙３１をはがして、ミラー部２１の裏面２１ｂをレンズ１の端部に内側から貼り付ける（図５参照）。
これによって、前記実施形態１と同様の作用、効果が生じる。本実施形態の場合も、実施形態１と同様レンズに何回も取付け取り外しが出来るうえ、実施形態１に比べて構成がより簡易であるため、手軽に使用できる。
【００３０】
本発明の実施形態３を、図６乃至図１１に基づいて説明する。
このバックミラー３０は、ミラー部３１と、ミラー部３１をメガネに固定する支持部材３３からなる。本実施形態において、ミラー部３１や、バックミラー３０の保護手段あるいはバックミラー３０のレンズへの取り付け方法等、前記実施形態１と同様の部分は説明を省略する。
【００３１】
前記支持部材３３は薄い金属板によって構成され、ミラー部３１のミラー面３１ａと反対側の面に固定した取付体３６と、この取付体３６と平行に配置した支持体３５と、前記取付体３６と支持体３５の端部を連結するレンズ１と略同一の幅を有する中間体３４とで構成されており、全体として平面視略コ字状である。
また、取付体３６の表面を研磨したり、あるいはメッキを施すことによってミラー面と同一の効果が生じる場合は、ミラー部３１を設けずに取付体３６の表面をミラー面として使用することもできる。
【００３２】
前記支持部材３３の内部に弾性部材３７が取り付けてある。
図示のように、この弾性部材３７は先端に指掛け部３７aを構成し、後端に固定部３７ｂを構成した長方形状の薄い金属板からなり、その中央部分を二つに折り曲げて、中間体３４側に向いた湾曲部３７ｃを構成し、固定部３７ｂを前記取付体３６の表面に固定し、指掛け部３７aを前記支持体３５の裏面に当接させている。
このように、弾性部材３７は、中央部分を二つに折り曲げたため、元に戻ろうとする復元力が生じ、この復元力（弾性力）によって指掛け部３７aは、支持体３５を図９の矢印Ｂ方向に押圧するのである。
【００３３】
次に実施形態３の作用を説明する。
レンズ１の端部に外側から、ミラー部３１がレンズ１の裏面（顔側）に来るようにバックミラー３０を取り付ける。このとき、はじめに指掛け部３７ａを弾性力に抗して固定部３７ｂ側に指で押して、指掛け部３７ａと支持体３５の間に間隙を作り、この間隙にレンズ１を挿入して装着する（図１０参照）。
これによって、指掛け部３７ａと支持体３５でレンズ１の裏面と表面を挟むことができ、かつ指掛け部３７ａの弾性力によってレンズ１を押圧した状態で挟むことができるため、バックミラー３０はレンズ１に確実に装着されるのである。
【００３４】
一方、このようにバックミラー３０をレンズ１に取り付けると、指掛け部３７aがレンズ１を押圧した反力が固定部３７ｂに伝わり、その反力によって固定部３７ｂがミラー部３１を押圧し、ミラー部３１は図１０の矢印Ｃ方向に押されるのである。
そのためミラー部３１は、図９の初期位置から、支持体３５に対して起伏した状態となり、図１０に示すレンズ１への装着時には、ミラー部３１は両方のレンズ１，１の表面を結ぶ線Ｈ１と平行な線Ｈ２上に配置されることになる。このため、ミラー部３１のミラー面３１ａには、後方の景色がよく映り、かつ視線によって良好に識別できるのである。なお、後方の景色が最も見やすいミラー部３１の位置は、レンズ１の形状や大きさ等によって異なるため、弾性部材３７を調整してミラー部３１のレンズ１に対する取り付け位置を最も見やすい角度に変更できる。
上記に述べた以外の実施形態３の効果は、前記実施例１と同様のため説明を省略する。
【００３５】
前記ミラー部３１、中間体３４、支持体３５、弾性部材３７の形状、大きさ、材質あるいは、これらのレンズ１への取り付け位置などは本実施形態に限らず任意に決定できる。
例えば、図１２の実施形態４で示すように、弾性部材３７をゴムあるいはスポンジのような弾性体３９で構成し、支持体３５の表面に取り付けることで、弾性部材３７と同様の効果が生じるのである。
【００３６】
本発明の実施形態５を、図１３に基づいて説明する。
本実施形態のバックミラー４０は、前記実施形態３の弾性部材３７の取り付け位置を逆向きに変えたものである。そのため、実施形態３と同一の部分は同一の番号を付してその説明を省略する。
本実施形態において、弾性部材３７の指掛け部３７aの先端を中間体３４側に向かって設け、中央部分の湾曲部３７ｃを中間体３４と反対側に向かって設けている。
このため、使用に際しては、レンズ１を指掛け部３７aと支持体３５の間に差し込んでいく。この場合指掛け部３７aの弾性力に抗してレンズ１を挿入するため、比較的薄いレンズに適した実施形態である。
この実施形態によれば、指掛け部３７aの先端が支持体３５より突出しないため安全であるとともに、指掛け部３７aを指で操作する必要もなく、操作が簡単となる。
そのほかの作用、効果は実施形態３と同様のため、説明を省略する。
【符号の説明】
【００３７】
１      メガネのレンズ
１０    メガネのバックミラー  
１１    ミラー部
１１ａ  ミラー面
１２    連結部材
１３    支持部材
１４    中間体
１５    支持体
２０    メガネのバックミラー
２１    ミラー部
２１ａ  ミラー面
３０    メガネのバックミラー
３１    ミラー部
３１ａ  ミラー面
３２    連結部材
３３    支持部材
３４    中間体
３５    支持体
３６    取付体
３７    弾性部材
３７ａ  指掛け部
３７ｂ  固定部
３７ｃ  湾曲部
４０    メガネのバックミラー
【図１】
2012133297.tif 000003
【図２】
2012133297.tif 000004
【図３】
2012133297.tif 000005
【図４】
2012133297.tif 000006
【図５】
2012133297.tif 000007
【図６】
2012133297.tif 000008
【図７】
2012133297.tif 000009
【図８】
2012133297.tif 000010
【図９】
2012133297.tif 000011
【図１０】
2012133297.tif 000012
【図１１】
2012133297.tif 000013
【図１２】
2012133297.tif 000014
【図１３】
2012133297.tif 000015
【図１４】
2012133297.tif 000016